(57)【要約】【課題】外壁に施工されたときにその上下で通気が簡便に確保可能な、枠組みに対して屋外側に面材が固定された外壁用の下地パネル、および上下で通気が簡便に確保できる下地パネルセットを提供する。【解決手段】下地パネルは１軽量鉄骨造の外壁に使用可能なものである。下地パネルは、いずれも角棒の一対の縦桟１１ａ及び一対の横桟１２，１３を４辺とする矩形の枠３と、縦桟及び横桟のいずれにも直交する方向の一方の側で枠に直接または間接に固定された、板による面材２と、を備える。枠は、縦桟及び横桟の表面が、異なる縦桟及び横桟の表面に平行又は直交している。面材は、一対の横桟の両方又は一方から枠の厚さ方向について離れている。そして、面材から離れた横桟には、枠の厚さ方向において面材に重ならない一方の側の表面の一部を覆う板状のスペーサー１５が固定されている。【選択図】  図５
2014118745.tif 000002
【特許請求の範囲】
【請求項１】
軽量鉄骨造の外壁に使用可能な下地パネルであって、
いずれも断面が矩形の棒である一対の縦桟および一対の横桟をそれぞれ対向する２辺とする矩形に形成された枠と、
前記縦桟および前記横桟のいずれにも直交する方向の一方の側において前記枠に直接または間接に固定された、板による１つ又は複数の面材と、を備え、
前記枠は、前記縦桟および前記横桟の表面が、異なる前記縦桟および前記横桟における表面に対して平行または直交のいずれかとなるように組み合わされており、
前記面材は、前記一対の横桟の両方または一方における前記一方の側の表面に対して前
記直交する方向について離れており、
前記面材から離れた前記横桟には、
前記直交する方向において前記面材に重ならない前記一方の側の表面の一部を覆う板状のスペーサーが固定された
ことを特徴とする下地パネル。
【請求項２】
前記面材は、前記枠に固定された板状の縦胴縁を介して前記枠に一体化されている
請求項１に記載の下地パネル。
【請求項３】
請求項１または請求項２に記載の下地パネルと、
施工時に上下方向に隣り合う前記下地パネルのあいだを塞ぐようにして前記下地パネルに固定される板状の目地板と、で構成され、
前記面材から離れた前記横桟と前記面材との距離をＤｔ、前記面材の厚さをＴ２、前記目地板の厚さをＴｄとすると、
前記スペーサーの厚さＴｓが、
Ｔｓ＝Ｄｔ＋Ｔ２−Ｔｄ
である
ことを特徴とする下地パネルセット。
【発明の詳細な説明】
【技術分野】
【０００１】
本発明は、工場で生産された部材を現場で組み立てて家屋等を建築するプレハブ工法に使用される外壁用の下地パネルおよび下地パネルセットに関する。
【背景技術】
【０００２】
建築に活用される軽量鉄骨造は、いわゆるプレハブ工法であり施工期間が短く、また工場生産等による品質の安定的確保等の利点を有する。プレハブ工法では、その軽量鉄骨造の柱、梁、桁等の建材が別の場所で加工され、施工場所に運搬されて組み立てられる。軽量鉄骨造では、柱の間隔等が規格化されており、外壁用の下地パネル（外装下地パネル）についても、大きさが標準化されたものが工場等で製造され建物に施工される（特許文献１）。
【０００３】
このような外装下地パネルは、通常、グラスウール等の断熱材と組み合わせて使用されるので、断熱材の断熱性を低下させる結露が生じない程度にその内外間の通気が求められる。特許文献１に提案された外装下地パネルにおいても、屋内側の面材に対して枠組みを挟んで屋外側に通気用縦胴縁を取り付け、上下２つの外装下地パネルの通気用縦胴縁間に梁部通気用縦胴縁を連続させて、これらの外側に外装パネルを取り付けたときの、外装パネルおよび断熱材の間と外部との通気を確保している（段落００５７，００５８）。
【先行技術文献】
【特許文献】
【０００４】
【特許文献１】特開２００５−４８３９５号公報
【発明の概要】
【発明が解決しようとする課題】
【０００５】
外壁用の下地パネルは、軽量鉄骨造の建材の製造者（プレハブ工法の事業者）ごとにその細部の仕様が異なる。例えば、特許文献１に記載された外装下地パネルは、枠組みに対して面材を屋内側に配して梁等に取り付けられ、屋外側の縦胴縁に外装パネルが取り付けられる。
これに対して、枠組みを屋内側におよび面材を屋外側に配し、面材に外装パネルを取り付けるプレハブ工法を採用する場合がある。このような外装下地パネルでは、外装下地パネルの屋外側の面材と、面材の屋内側において外装下地パネルに保持される断熱材との間を、外部に連通させて通気可能とする必要がある。しかし、このような外装下地パネル（外壁用の下地パネル）を用いる工法では、特許文献１で提案された上下に隣り合う外装下地パネル間の通気構造を採用することができない。
【０００６】
本発明は、外壁に施工されたときにその上下で通気が簡便に確保可能な、枠組みに対して屋外側に面材が固定された外壁用の下地パネル、および上下で通気が簡便に確保できる下地パネルセットを提供することを目的とする。
【課題を解決するための手段】
【０００７】
本発明に係る下地パネルは、軽量鉄骨造の外壁に使用可能なものである。
下地パネルは、いずれも断面が矩形の棒である一対の縦桟および一対の横桟をそれぞれ対向する２辺とする矩形に形成された枠と、縦桟および横桟のいずれにも直交する方向の一方の側において枠に直接または間接に固定された、板による１つ又は複数の面材と、を備える。
【０００８】
枠は、縦桟および横桟の表面が、異なる縦桟および横桟における表面に対して平行または直交のいずれかとなるように組み合わされている。面材は、一対の横桟の両方または一方における前記一方の側の表面に対して直交する方向について離れている。
そして、面材から離れた横桟には、直交する方向において面材に重ならない一方の側の表面の一部を覆う板状のスペーサーが固定されている。
【０００９】
好ましくは、面材が、枠に固定された板状の縦胴縁を介して枠に一体化されている。
本発明に係る下地パネルセットは、上述した下地パネルと、施工時に上下方向に隣り合う下地パネルのあいだを塞ぐようにして下地パネルに固定される板状の目地板と、で構成
される。この場合、スペーサーの厚さＴｓは、面材から離れた横桟と面材との距離をＤｔ、面材の厚さをＴ２、目地板の厚さをＴｄとすると、Ｔｓ＝Ｄｔ＋Ｔ２−Ｔｄで算出される値である。
【発明の効果】
【００１０】
本発明によると、外壁に施工されたときにその上下で通気が簡便に確保可能な、枠組みに対して屋外側に面材が固定された外壁用の下地パネル、および上下で通気が簡便に確保できる下地パネルセットを提供することができる。
【図面の簡単な説明】
【００１１】
【図１】図１は下地パネルの概略図である。
【図２】図２は下地パネルの四隅近傍を拡大した図である。
【図３】図３は建物への下地パネルの取り付けの様子を示す図である。
【図４】図４は下地パネルの取り付け後の様子を示す図である。
【図５】図５は図４におけるスペーサー周りの断面図である。
【図６】図６は窓枠を取り付けるための下地パネルの木枠を示す図である。
【図７】図７は窓枠用下地パネルの概略図である。
【図８】図８は面材が縦胴縁を介さず直接縦桟に固定された下地パネルのスペーサーの働きを示す図である。
【発明を実施するための形態】
【００１２】
図１は下地パネル１の概略図、図２は下地パネル１の四隅近傍を拡大した図である。
図１において、（ａ）は下地パネル１を面材２側から見た図（正面図）、（ｃ）は（ａ）の反対側から見た図（背面図）、（ｂ）は（ｃ）を上から見た図（平面図）、（ｄ）は（ａ）の左側面図、（ｅ）は（ｃ）を下から見た図（裏面図）である。
図２において、（ａ）の左半分は図１（ｂ）の左半分の部分図であり右半分は（ｃ）のＡ−Ａ矢視部分断面図、（ｂ）は図１（ｄ）の上下端近傍、（ｃ）の左半分は図１（ｅ）の左半分の部分図であり右半分は（ｃ）のＢ−Ｂ矢視部分断面図である。
【００１３】
下地パネル１は、木枠３および面材２からなる。
木枠３は、２本の細縦桟１１ａ，１１ａ、縦桟１１ｂ、上横桟１２、下横桟１３および３つの縦胴縁１４ａ，１４ａ，１４ｂで形成される。
細縦桟１１ａは、断面形状が細長い矩形の棒状の木材である。縦桟１１ｂは、断面形状が矩形であり、長さが細縦桟１１ａに等しい棒状の木材である。縦桟１１ｂは、その矩形断面の長辺の長さＬ１が細縦桟１１ａの長辺と同じで、短辺の長さＬ２が細縦桟１１ａの短辺の長さＬ３よりも大きい。
【００１４】
上横桟１２は、２本の同じ長さで厚さが異なる木の角材がそれぞれの厚さ方向に重ねられたものである。下横桟１３は、上横桟１２と同じ長さの木の角材と、この木材の厚さ方向に、これよりも短い木の角材がその厚さ方向を直交させて重ねられたものである。下横桟１３における長い方の木材および上横桟１２の２つの木材は同じ長さであって、これらの矩形断面の１つの辺（長辺）同士は、同じ長さである。この辺同士の同じ長さは、細縦桟１１ａ、縦桟１１ｂの矩形断面の長辺Ｌ１に等しい。上横桟１２および下横桟１３の長さは、細縦桟１１ａおよび縦桟１１ｂに比べて短い。
【００１５】
２本の細縦桟１１ａ，１１ａおよび上横桟１２、下横桟１３は、前者を長辺、後者を短辺とする対向する矩形形状の枠に組まれて木枠３を形成する。縦桟１１ｂは、２本の細縦桟１１ａ，１１ａの中間でこれらに平行に配されて上横桟１２および下横桟１３を連結する。細縦桟１１ａ，１１ａ、縦桟１１ｂおよび上横桟１２、下横桟１３それぞれの連結は、釘等により行われる。
【００１６】
木枠３は、その全体についての厚さ方向の一方の側における各部材の端面、すなわち２本の細縦桟１１ａ，１１ａ、縦桟１１ｂ、上横桟１２および下横桟１３のそれぞれの木枠３における厚さ方向の一方の側の端面が、同一の平面ＰＬ（図２（ｂ））となるように組み立てられる。
縦胴縁１４ａ，１４ｂは、細長く切断された木の厚板であり、その長さは細縦桟１１ａ等と同じである。３つのうち１つの縦胴縁１４ｂの幅は他の２つの縦胴縁１４ａ，１４ａ
の幅よりも大きい。幅の広い縦胴縁１４ｂは、幅方向の両側をはみ出させその長手方向を縦桟１１ｂの長手方向に一致させて縦桟１１ｂの矩形断面の一方の短辺となる面に固定される。他の２つの縦胴縁１４ａ，１４ａは、それぞれ異なる一方の細縦桟１１ａにおける縦胴縁１４ｂの固定側と同じ側の面に、その幅方向両側をはみ出させて固定される。
【００１７】
縦胴縁１４ａにおける幅方向外方へのはみ出し部分は、施工時において水平方向の隣に取り付けられる下地パネル１との段差を解消するために用意される。
縦胴縁１４ａ，１４ｂの縦桟１１ｂ等への固定は、例えば釘と接着剤とが併用される。
面材２は、矩形の合板であり、その長辺は細縦桟１１ａの長さに等しく、その短辺は上横桟１２の長さに等しい。面材２は、その矩形における幅方向（短辺方向）両側の端面をいずれも細縦桟１１ａの外方側面（矩形断面の長辺）の位置に揃えて（図２（ａ），（ｃ））、縦胴縁１４ａ，１４ａ，１４ｂに固定される。面材２の縦胴縁１４ａ，１４ａ，１４ｂへの固定は、釘および接着剤等により行われる。
【００１８】
下地パネル１は、複数のスペーサー１５，…，１５を備える。スペーサー１５は、矩形の板材である。スペーサー１５は、上横桟１２および下横桟１３における縦胴縁１４ａ，１４ａ，１４ｂの延長位置に固定される（図２）。スペーサー１５の幅は、直近の縦胴縁１４ａ，１４ｂの幅と略同じである。スペーサー１５，…，１５は、いずれもその端面が縦胴縁１４ａ，１４ａ，１４ｂの長手方向における端面と接する。
【００１９】
スペーサー１５の厚さＴｓは、縦胴縁１４ａ，１４ｂの厚さＴ１よりも小さい。スペーサー１５の厚さＴｓと縦胴縁１４ａ，１４ｂの厚さＴ１との差の大小が、建物に施工された下地パネル１の上下における通気路の幅の大小に関連する。
図３は建物への下地パネル１の取り付けの様子を示す図、図４は下地パネル１の取り付け後の様子を示す図、図５は図４におけるスペーサー１５周りの断面図である。図５（ａ），（ｂ）はそれぞれ図４のＣ−Ｃ矢視断面図、Ｄ−Ｄ矢視断面図である。
【００２０】
軽量鉄骨造の建物への下地パネル１の施工は、以下のように行われる。
図３を参照して、下地パネル１，…，１は、上横桟１２が桁７ａおよび梁７ｂにボルト等（図示せず）により吊り下げられて支持される。下地パネル１は、隣り合う角型鋼管による柱（鉄骨柱）８で区切られた間を塞ぐように桁７ａまたは梁７ｂに取り付けられる。鉄骨柱８は、窓の有無、建物の間取りとの関係で、隣り合う２本の間（スパン）に長短があり、スパンの長短等により幅が異なる下地パネル１，１ａ，１ｂが用いられる。例えば、図１に示される下地パネル１を基本スパンとすると、略２スパンの幅を有する下地パネル１ａ、略半スパンの幅を有する下地パネル１ｂ等である（図４）。いずれの下地パネル１ａ，１ｂも、基本スパンの下地パネル１と同様に、両端の縦桟（縦桟は細縦桟１１ａ、縦桟１１ｂいずれであってもよい）に取り付けられた縦胴縁が、縦桟から幅方向両側に所定の寸法だけはみ出している。
【００２１】
桁７ａおよび梁７ｂに支持されて横に隣り合う下地パネル１，１は、それぞれの幅方向端で互いに対向する縦胴縁１４ａ，１４ａが２つの連結部材４，４により連結される。
連結部材４は、押さえ板２１（以下「押板２１」と記す）、受け板２２（以下「受板２２」と記す）、六角ボルト２３等で構成される（図３（ｂ））。
押板２１は、矩形の金属板の長手方向中央に、断面形状が「コ」字状の幅方向に横断する凹部３１を有し、凹部３１には貫通する貫通孔３２を備える
受板２２は、矩形の金属板である。受板２２は、その重心位置において厚さ方向に貫通する、六角ボルト２３の雄ねじに嵌め合い可能な雌ねじが設けられたねじ孔３４を備える。なお、図３における符合２４はばね座金、符合２５は平座金である。
【００２２】
連結部材４は、押板２１における凹部３１の両側部分と受板２２との間に、隣り合う下地パネルの異なる一方の縦胴縁１４ａにおける幅方向外方にはみ出す部分を挟み、押板２１側から差し入れた六角ボルト２３をねじ孔３４に嵌め入れて締め付けることにより、下地パネル１，１同士を連結する。また、連結部材４は、連結することによりこれらの間の段差を解消する。
【００２３】
連結部材４，４により連結された隣り合う下地パネル１，１に生ずる隙間は、複数の縦目地板４１ａ，４１ｂ，４１ｃによって塞がれる。縦目地板４１ａ，４１ｂ，４１ｃは、
隣り合う下地パネル１，１におけるそれぞれの外方にはみ出す縦胴縁１４ａ，１４ａの間を塞ぐ、縦胴縁１４ａの厚さに等しい厚さの板状部分と、これに重なりそれぞれの面材２，２との間を塞ぐ、面材２の厚さに等しい厚さの板状部分とを有する。縦目地板４１ａ，４１ｂ，４１ｃは、木材で形成される。
【００２４】
梁７ｂを挟んだ上下の下地パネル１，１の間に生ずる水平方向に細長い隙間には、胴差目地板４４がこの隙間を塞ぐように取り付けられる。胴差目地板４４は、矩形の板材である。
図４を参照して、胴差目地板４４は、基本スパンを有する下地パネル１の幅と略同一の幅を基本とする。水平方向に隣り合う胴差目地板４４，４４は、これらの対向端が、下地パネル１，１ａの端に一致しないように意識して施工される（但し、常にこれを避けるものではない）。
【００２５】
胴差目地板４４は、上下の下地パネル１，１におけるそれぞれのスペーサー１５，…，１５に、釘、接着剤等により固定される。胴差目地板４４は、梁７ｂを挟んだ上下の下地パネル１，１における面材２，２表面との間で段が生じないように、かつ上下の下地パネル１，１との連結部分に所定の幅Ｔｐの通気路が確保できるように、その厚さＴｄが決定される。
【００２６】
ここで、上下の下地パネル１，１と胴差目地板４４との連結部分に形成される通気路について説明する。
図５（ａ）を参照して、上下の下地パネル１，１と胴差目地板４４とは、それぞれのスペーサー１５ａ，１５ｂを介して一体化される。胴差目地板４４は、例えば外壁化粧パネルの取り付けを考慮すると、下地パネル１の面材２表面との間に段を生じさせないことが求められる。下地パネル１は、胴差目地板４４に一体化されたときに胴差目地板４４と段を生じさせないために、スペーサー１５の厚さＴｓが、縦胴縁１４ａ，１４ｂの厚さＴ１と面材２の厚さＴ２との和から胴差目地板４４の厚さＴｄを除いた値となるように設計される（Ｔｓ＝Ｔ１＋Ｔ２−Ｔｄ）。
【００２７】
スペーサー１５，…，１５は、上横桟１２および下横桟１３の一部のみを覆うことから、スペーサー１５，…，１５が設けられた部分を除き上横桟１２および下横桟１３は、これらに固定された胴差目地板４４に密着せず、胴差目地板４４との間に通気路Ｖｒが形成される（図５（ｂ））。
通気路Ｖｒの幅（設定通気路幅）Ｔｐは、スペーサー１５の厚さＴｓに等しい。つまり、設定通気路幅Ｔｐが決定されるとスペーサー１５の厚さＴｓが決まる。下地パネル１における面材２の厚さＴ２、縦胴縁１４ａ，１４ｂの厚さＴ１および胴差目地板４４の厚さＴｄは、それぞれに求められる強度等を考慮し、Ｔ１＋Ｔ２−Ｔｄが設定通気路幅Ｔｐに等しくなるように決定される。
【００２８】
例えば、図５における下地パネル１および胴差目地板４４の場合、設定通気路幅Ｔｐすなわちスペーサー１５の厚さＴｓは４ｍｍであり、これに組み合わされた縦胴縁の厚さは１２ｍｍ、面材２の厚さは４ｍｍ、および胴差目地板４４の厚さＴｄは１２ｍｍである。
桁７ａに支持された下地パネル１の上横桟１２とさらにその上の部材との細長い隙間には、例えばこの部分に適した軒下目地板４５が隙間を塞ぐように取り付けられる（図３）。
【００２９】
軒下目地板４５と下地パネル１との一体化部分にも、下地パネル１の上横桟１２に備えられたスペーサー１５，１５，１５により、軒下目地板４５と上横桟１２との間に通気路が形成される。形成される通気路の幅Ｔｐはスペーサー１５の厚さＴｓに等しく、軒下目地板４５の厚さは、胴差目地板４４の厚さＴｄと同様に、設定通気路幅Ｔｐ、面材２の厚さＴ２および縦胴縁１４ａ，１４ｂの厚さＴ１から決定される。
【００３０】
図６は窓枠を取り付けるための下地パネル１Ｂの木枠３Ｂを示す図、図７は下地パネル１Ｂの概略図である。
なお、図６（ａ）は各縦胴縁および横胴縁を取り付ける前の各横桟、縦桟による枠組みを示す正面図である。
下地パネル１Ｂは、木枠３Ｂおよびそれぞれが一対の小面材２Ｂａ，２Ｂａ、大面材２
Ｂｂ，２Ｂｂからなる。
【００３１】
木枠３Ｂは、２本の縦桟１１Ｂ，１１Ｂ、３本の上縦桟１１Ｂａ，１１Ｂａ，１１Ｂａ、３本の下縦桟１１Ｂｂ，１１Ｂｂ，１１Ｂｂ、上横桟１２Ｂ、２本の中横桟１６Ｂ，１６Ｂ、下横桟１３Ｂ、２つの上長縦胴縁１７Ｂａ，１７Ｂａ、３つの上短縦胴縁１７Ｂｂ，１７Ｂｂ，１７Ｂｂ、２つの下長縦胴縁１８Ｂａ，１８Ｂａ、３つの下短縦胴縁１８Ｂｂ，１８Ｂｂ，１８Ｂｂ、２つの中縦胴縁１８Ｂｃ，１８Ｂｃおよび２つの横胴縁１９Ｂ，１９Ｂで形成される。
【００３２】
木枠３Ｂは、２本の縦桟１１Ｂ，１１Ｂを長辺とし、上横桟１２Ｂおよび下横桟１３Ｂを短辺とする、形状が矩形の枠である。縦桟１１Ｂは、断面形状が細長い矩形の棒状の木材である。上横桟１２Ｂおよび下横桟１３Ｂは、上述した下地パネル１の木枠３における上横桟１２および下横桟１３よりも長さが長い点を除き、上横桟１２および下横桟１３と同じ構成である。上横桟１２Ｂおよび下横桟１３Ｂは、下地パネル１Ｂに取り付ける窓枠（サッシュ枠）の横寸法よりわずかに長い。縦桟１１Ｂ、上横桟１２Ｂおよび下横桟１３Ｂは、これらの矩形断面における長辺の伸びる方向が、取り付ける建物の内外方向となるようにして、組み立てられる。
【００３３】
中横桟１６Ｂ，１６Ｂは、断面が矩形の棒状木材である。中横桟１６Ｂ，１６Ｂは、上横桟１２Ｂおよび下横桟１３Ｂの間に配され、取り付け予定の窓枠の高さに相当する間隔をあけて、それぞれその両端が縦桟１１Ｂ，１１Ｂに固定される。
上横桟１２Ｂと上方の中横桟１６Ｂとは、３本の上縦桟１１Ｂａ，１１Ｂａ，１１Ｂａで連結されている。下横桟１３Ｂと下方の中横桟１６Ｂとは、３本の下縦桟１１Ｂｂ，１１Ｂｂ，１１Ｂｂで連結される。
【００３４】
中横桟１６Ｂ、上縦桟１１Ｂａおよび下縦桟１１Ｂｂは、いずれも断面形状が矩形の棒状の木材であり、これらの断面の長辺の向きは、縦桟１１Ｂの矩形断面の長辺に揃えられる。
木枠３Ｂは、その全体についての厚さ方向における各部材の一方側の端面が、窓枠９を有しない下地パネル１と同様に、同一平面上に存在するように組み立てられている。
【００３５】
上長縦胴縁１７Ｂａ、上短縦胴縁１７Ｂｂ、下長縦胴縁１８Ｂａ、下短縦胴縁１８Ｂｂ、および横胴縁１９Ｂは、細長く切断された木の厚板であってそれぞれの断面形状は略等しい。中縦胴縁１８Ｂｃは、これらと厚さが略等しく、幅が狭い木の厚板である。
上長縦胴縁１７Ｂａは、縦桟１１Ｂにおける上横桟１２Ｂとの接続端から上側の中横桟１６Ｂとの接続部分まで、その幅方向の両側を縦桟１１Ｂからはみ出させて固定されている。
【００３６】
一方の横胴縁１９Ｂは、上側の中横桟１６Ｂにおける内方（下）を向く面にその側面が揃えられ、この側面の反対側が上横桟１２Ｂ側にはみ出して、上側の中横桟１６Ｂに固定されている。
上短縦胴縁１７Ｂｂは、上縦桟１１Ｂａにおける上横桟１２Ｂとの連結部分から横胴縁１９Ｂまでの部分に固定されている。
【００３７】
下長縦胴縁１８Ｂａは、縦桟１１Ｂにおける下横桟１３Ｂとの接続端から下側の中横桟１６Ｂとの接続部分まで、その幅方向の両側を縦桟１１Ｂからはみ出させて固定されている。
他方の横胴縁１９Ｂは、下側の中横桟１６Ｂにおける内方（上）を向く面にその側面が揃えられ、この側面の反対側が下横桟１３Ｂ側にはみ出して、下側の中横桟１６Ｂに固定されている。
【００３８】
下短縦胴縁１８Ｂｂは、下縦桟１１Ｂｂにおける下横桟１３Ｂとの連結部分から他方の横胴縁１９Ｂまでの部分に固定されている。
中縦胴縁１８Ｂｃは、縦桟１１Ｂにおける上長縦胴縁１７Ｂａおよび下長縦胴縁１８Ｂａを固定する部分以外の部分に、その内方を向く側面を縦桟１１Ｂに揃え、この側面の反対側を外方にはみ出させて、縦桟１１Ｂに固定されている。
【００３９】
図７を参照して、小面材２Ｂａは、２本の縦桟１１Ｂ，１１Ｂ、上横桟１２Ｂおよび下横桟１３Ｂで形成される矩形の短辺の略半分の長さの長辺と、上側の横胴縁１９Ｂの下方
を向く端面から上長縦胴縁１７Ｂａの上端までの距離を短辺とする、矩形の合板である。一対の小面材２Ｂａ，２Ｂａは、それぞれが矩形断面の長辺の端縁の一方を上側の横胴縁１９Ｂの下方を向く端面に揃え、矩形断面の短辺の一方をそれぞれが互いに異なる一方の縦桟１１Ｂにおける外方を向く端面に揃えて、木枠３Ｂ（上長縦胴縁１７Ｂａ、上短縦胴縁１７Ｂｂ、横胴縁１９Ｂ）に固定される。両側の上長縦胴縁１７Ｂａ，１７Ｂａは、外方側の端が小面材２Ｂａに覆われずに所定の幅で帯状に露出する。
【００４０】
大面材２Ｂｂは、小面材２Ｂａの矩形における１辺と同じ長さの対向する２辺と、下側の横胴縁１９Ｂの上方を向く端面から下長縦胴縁１８Ｂａの下端までの距離を対向する２辺とする、矩形の合板である。大面材２Ｂｂの板厚は、下地パネル１における面材２および小面材２Ｂａの板厚に略等しい。
一対の大面材２Ｂｂ，２Ｂｂは、一対の小面材２Ｂａ，２Ｂａと同様にして木枠３Ｂ（下長縦胴縁１８Ｂａ、下短縦胴縁１８Ｂｂ、横胴縁１９Ｂ）に取り付けられる。両側の下長縦胴縁１８Ｂａ，１８Ｂａは、外方側の端が大面材２Ｂｂに覆われずに所定の幅で帯状に露出する。
【００４１】
両側の中縦胴縁１８Ｂｃ，１８Ｂｃのそれぞれには、縦桟１１Ｂの断面矩形の短辺と同じ幅、大面材２Ｂｂと同じ厚さ、および中縦胴縁１８Ｂｃと同じ長さの帯状の面部材２０Ｂが、その両端を縦桟１１Ｂの断面矩形の長辺に揃えて固定されている。
下地パネル１Ｂとこれに水平方向に隣り合う下地パネル（例えば下地パネル１）との連結は、上述した連結部材４，４により行われ、同時にこれらの段差は連結部材４，４により解消される。
【００４２】
下地パネル１Ｂは、下地パネル１と同様に、複数のスペーサー１５，…，１５を備える。スペーサー１５は、矩形の板材である。
スペーサー１５，…，１５は、上横桟１２Ｂにおける上長縦胴縁１７Ｂａ、上短縦胴縁１７Ｂｂの延長位置、および下横桟１３Ｂにおける下長縦胴縁１８Ｂａ、下短縦胴縁１８Ｂｂの延長位置に固定される。各スペーサー１５の幅は、直近の各縦胴縁の幅に略等しい。スペーサー１５，…，１５は、いずれもその端面が各縦胴縁の長手方向における端面と接して上横桟１２Ｂまたは下横桟１３Ｂに固定される。
【００４３】
スペーサー１５は、下地パネル１におけるスペーサー１５と同様に、外壁への施工において胴差目地板４４または軒下目地板４５と組み合わされたときに、下地パネル１Ｂの上端および下端に通気路を形成するためのものである。
図７におけるＥ−Ｅ矢視断面は、その形態が図５（ａ）に示される断面図と略同じであり、下地パネル１Ｂにおける小面材２Ｂａの表面が、その上の胴差目地板４４の表面と段を形成することなく連なる。また、図７におけるＦ−Ｆ矢視断面は、形態が図５（ｂ）に示される断面図と略同じであり、下地パネル１Ｂにおける上横桟１２Ｂと胴差目地板４４との間には通気路が形成される。下地パネル１と同様に下地パネル１Ｂにおいても、スペーサー１５の厚さが通気路の幅となる。
【００４４】
上述した下地パネル１，１Ｂでは、スペーサー１５を各縦胴縁の直近にその端面を縦胴縁の端面に接触させ、かつその幅をその直近の縦胴縁の幅と略同一とした。しかし、このようにせず、スペーサー１５を各縦胴縁の位置とは無関係に上横桟１２，１２Ｂ、下横桟１３，１３Ｂに配し、またはスペーサー１５の幅を各縦胴縁の幅とは無関係に決定しても、下地パネル１，１Ｂと同様に胴差目地板４４、軒下目地板４５との間に通気路を形成させることができる。
【００４５】
ところで、下地パネル１，１ａ，１ｂ，１Ｂにおける各縦胴縁１４ａ，１４ｂ，１７Ｂａ，１８Ｂａ，１８Ｂｃは、水平方向に隣り合う他の下地パネル１，１ａ，１ｂ，１Ｂとの段差を解消する連結部材４を使用可能とするものである。各縦胴縁は、この他、各面材（面材２、小面材２Ｂａ、大面材２Ｂｂ）を、各横桟（上横桟１２，１２Ｂ、下横桟１３，１３Ｂ）から離してこれらのあいだに隙間（施工後の通気路Ｖｒにおける木枠３，３Ｂ側の開口）ＯＰ（図５参照）を形成する機能を有する。
【００４６】
段差を解消する連結部材４との併用を予定しない下地パネルでは、面材２，２Ｂａ，２Ｂｂを、縦胴縁を介さず直接縦桟に固定してもよい。
図８は面材２が縦胴縁を介さず直接縦桟１１Ｃｂに固定された下地パネル１Ｃのスペーサー１５の働きを示す図である。図８において（ａ）は図５（ａ）に対応し、（ｂ）は図５（ｂ）に対応する。
【００４７】
面材２が直接縦桟１１Ｃｂに固定された下地パネル１Ｃでは、木枠３Ｃは、面材２が固定された側において、上横桟１２、縦横桟１３（木枠３Ｂでは中横桟１６Ｂも同様）が、縦桟１１Ｃｂに対して段を形成して面材２から遠ざけられている。
スペーサー１５は、横桟１２，１３のいずれも複数箇所に固定されている。スペーサー１５の厚さＴｓは、縦桟１１Ｃｂと横桟１２，１３との段差Ｔ３よりも小さい。横桟１２，１３との段は、全ての縦桟に生じさせてもよく、面材２と枠１Ｃとの一体化の強度に支障が無く面材２の固定を要しない縦桟に形成しない選択も可能である。
【００４８】
下地パネル１Ｃでは、施工により胴差目地板４４と一体化されたときの通気路Ｖｒの幅Ｔｐの設計において、縦桟１１Ｃｂと横桟１２，１３との段差Ｔ３が、下地パネル１における縦胴縁１４ｂの厚さＴ１と同様に扱われる。つまり、下地パネル１Ｃにおいても、スペーサー１５の厚さＴｓは、段差Ｔ３と面材２の厚さＴ２との和から胴差目地板４４の厚さＴｄを除いた値となるように設計される（Ｔｓ＝Ｔ３＋Ｔ２−Ｔｄ）。
【００４９】
スペーサー１５の厚さをこのように設計することにより、建物に施工された下地パネル１Ｃおよび胴差目地板４４が外方の面に段を生じさせないで、かつ幅Ｔｐの通気路Ｖｒを横桟１２，１３と胴差目地板４４との間に生じさせることができる。
なお、図８に示される下地パネル１Ｃは、矩形である面材２の長辺（施工後に上下となる辺）の長さが縦桟１１Ｃｂの長さより長く、長辺両端側で、横桟１２，１３の一部を覆う例でもある。縦胴縁１４ａ，１４ｂを備えた下地パネル１等をこのように形成しても、下地パネル１等のスペーサー１５は、胴差目地板４４等と組み合わされて、所定の幅Ｔｐを有する通気路Ｖｒを生成させる。
【００５０】
図８において図５と同じ符合が付された部分は、その構成等が図５におけるものと同じである。
上述の実施形態において、下地パネル１には、その一部に木材以外の材料が使用されたものも含まれる。
その他、下地パネル１，１ａ，１ｂ，１Ｂ，１Ｃの各構成または全体の構造、形状、寸法、個数、材質などは、本発明の趣旨に沿って適宜変更することができる。
【産業上の利用可能性】
【００５１】
本発明は、工場で生産された部材を現場で組み立てて家屋等を建築するプレハブ工法に使用される外壁用の下地パネルおよび下地パネルと胴差目地板、軒下目地板等との組み合わせに利用することができる。
【符号の説明】
【００５２】
１，１ａ，１ｂ，１Ｂ，１Ｃ  下地パネル
２  面材
２Ｂａ  小面材（面材）
２Ｂｂ  大面材（面材）
３，３Ｂ，３Ｃ  木枠（枠）
１１ａ  細縦桟（縦桟）
１１ｂ，１１Ｂ，１１Ｃｂ  縦桟
１２，１２Ｂ  上横桟（横桟）
１３，１３Ｂ  下横桟（横桟）
１４ａ，１４ｂ  縦胴縁
１５  スペーサー
１７Ｂａ  上長縦胴縁（縦胴縁）
１７Ｂｂ  上短縦胴縁（縦胴縁）
１８Ｂａ  下長縦胴縁（縦胴縁）
１８Ｂｂ  下短縦胴縁（縦胴縁）
１８Ｂｃ  中縦胴縁（縦胴縁）
４４  胴差目地板（目地板）
４５  軒下目地板（目地板）
Ｔｄ  胴差目地板
Ｔｓ  スペーサーの厚さ
Ｔ１  縦胴縁の厚さ（Ｄｔ）
Ｔ２  面材の厚さ
Ｔ３  縦桟と横桟との段差（Ｄｔ）
【図１】
2014118745.tif 000003
【図２】
2014118745.tif 000004
【図３】
2014118745.tif 000005
【図４】
2014118745.tif 000006
【図５】
2014118745.tif 000007
【図６】
2014118745.tif 000008
【図７】
2014118745.tif 000009
【図８】
2014118745.tif 000010